(57)【要約】【課題】熱変色層を有する連結具を備えて，容器の機能および商品性を向上させるとともに外観を美しく保つ調理容器を提供する。【解決手段】調理容器本体１０の外面に固着される固定部材２０と，内部を貫通して前記固定部材のネジ孔２６に締結される貫通ボルト４１により固定部材２０に結合される握り部４０と，固定部材２０と握り部４０間に着脱可能に介設される連結部３０とを含んでなる。連結部３０の上面に平面部が設けられ，この平面凹部には結合凹部（ａ）が形成され，結合凹部（ａ）には伝熱体３１が設けられ，伝熱体３１は固定部材２０に連結され，伝熱体３１には一定温度以上で熱変色フィルムまたは熱変色層３２が設けられる。【選択図】図５ 
2005177438.tif 000002
【特許請求の範囲】
【請求項１】
調理容器本体と，
調理容器本体の外面に固着される固定部材と，
前記固定部材の後端部に取り付け可能な先端部を有する握り部と，
前記固定部材の後端部に取り付け可能な先端部と，前記握り部の先端部に取り付け可能な後端部を備え，前記固定部材と前記握り部との間に着脱可能に介設される連結部とを含んでなることを特徴とする調理容器。
【請求項２】
前記連結部に設けられ，前記調理容器本体からの伝熱経路を介して伝熱される前記調理容器本体の温度を表示可能な温度表示部をさらに含むことを特徴とする，請求項１に記載の調理容器。
【請求項３】
調理容器本体と，
調理容器本体の外面に固着される固定部材と，
前記固定部材の後端部に取り付け可能な握り部と，
前記固定部または前記握り部のいずれかに設けられ，前記調理容器本体からの伝熱経路を介して伝熱される前記調理容器本体の温度を表示可能な温度表示部とを含んでなることを特徴とする調理容器。
【請求項４】
調理容器本体と，
調理容器本体の外面に固着される固定部材と，
前記固定部材の後端部に取り付け可能な連結部と，
前記連結部の後端部に取り付け可能な握り部と，
前記固定部，前記連結部または前記握り部のいずれかに設けられ，前記調理容器本体からの伝熱経路を介して伝熱される前記調理容器本体の温度を表示可能な温度表示部とを含んでなることを特徴とする調理容器。
【請求項５】
前記温度表示部は，温度に応じて変色する熱変色材料から成ることを特徴とする，請求項２，３または４のいずれかに記載の調理容器。
【発明の詳細な説明】
【技術分野】
【０００１】
本発明は，調理容器にかかり，より詳しくは，調理容器の温度上昇を知らせる温度表示器が設けられた連結具が先端部に着脱可能に結合される取っ手を備えた調理容器に関するものである。
【背景技術】
【０００２】
本出願人は，一定温度以上で変色するフィルムが外周面に付着された調理容器に関する発明について，大韓民国において実用新案登録出願をしている（例えば，特許文献１）。この調理容器は，図１および図２に示すように，通常の調理容器１０の外面一側に，温度変化により変色する熱変色フィルム１１が付着され，熱変色フィルム１１の外面に透明な耐熱性塗料によりコート層１２がコートされたものである。
【０００３】
しかし，このような本出願人の先出願にかかる調理容器においては，調理容器の外面に熱変色フィルム２０が付着され，その外面に耐熱性塗料がコートされているため，熱変色フィルム２０を確認することが多少不便であるうえ，調理容器の外面に熱変色フィルム２０が設けられるため，商品性が多少低下し，長期間の使用により汚れるという問題点があった。
【特許文献１】大韓民国実用新案登録出願第２００３−１０１２８号
【発明の開示】
【発明が解決しようとする課題】
【０００４】
本発明は，このような従来の問題点を解決するためになされたもので，その目的は，使用者に調理容器の温度変化を容易に知らしめることにより，調理容器の機能および商品性を向上させることが可能であり，しかも，調理容器の外観を損なわずに美しさを保つことが可能な，新規かつ改良された調理容器を提供することにある。
【課題を解決するための手段】
【０００５】
上記課題を解決するために，本発明の第１の観点によれば，調理容器本体と，調理容器本体の外面に固着される固定部材と，前記固定部材の後端部に取り付け可能な先端部を有する握り部と，前記固定部材の後端部に取り付け可能な先端部と，前記握り部の先端部に取り付け可能な後端部を備え，前記固定部材と前記握り部との間に着脱可能に介設される連結部とを含んでなることを特徴とする調理容器が提供される。かかる構成によれば，連結部の先端部と後端部の構造が，それぞれ，固定部材の後端部および握り部の先端部に対応しているので，何らの設計変更を行わずとも，従来の固定部材と握り部との間に，連結部を介装することが可能である。
【０００６】
前記連結部には，前記調理容器本体からの伝熱経路を介して伝熱される前記調理容器本体の温度を表示可能な温度表示部を設けることが好ましい。かかる構成によれば，温度表示部が使用者から見やすい位置にあり，使用者に調理容器の温度状況を確実に知らせることができる。しかも，従来のように調理容器本体に設けられていないので，汚れにも強く，調理容器の外観を損なわない。
【０００７】
さらに，本発明の別の観点によれば，調理容器本体と，調理容器本体の外面に固着される固定部材と，前記固定部材の後端部に取り付け可能な握り部と，前記固定部または前記握り部のいずれかに設けられ，前記調理容器本体からの伝熱経路を介して伝熱される前記調理容器本体の温度を表示可能な温度表示部とを含んでなることを特徴とする調理容器が提供される。かかる構成によっても，温度表示部を使用者から見やすい位置に設けることが可能であり，使用者に調理容器の温度状況を確実に知らせることができる。しかも，従来のように調理容器本体に設けられていないので，汚れにも強く，調理容器の外観を損なわない。
【０００８】
さらに，本発明の別の観点によれば，調理容器本体と，調理容器本体の外面に固着される固定部材と，前記固定部材の後端部に取り付け可能な連結部と，前記連結部の後端部に取り付け可能な握り部と，前記固定部，前記連結部または前記握り部のいずれかに設けられ，前記調理容器本体からの伝熱経路を介して伝熱される前記調理容器本体の温度を表示可能な温度表示部とを含んでなることを特徴とする調理容器が提供される。かかる構成によっても，温度表示部を使用者から見やすい位置に設けることが可能であり，使用者に調理容器の温度状況を確実に知らせることができる。しかも，従来のように調理容器本体に設けられていないので，汚れにも強く，調理容器の外観を損なわない。
【０００９】
上記調理容器において，温度表示部を，温度に応じて変色する熱変色材料から構成すれば，廉価で簡単構造で，上記目的を達成することができる。
【発明の効果】
【００１０】
このような本発明によると，製造および組立の簡単な連結具を現存の調理容器の取っ手に設けることにより，温度検出のような特殊機能を提供するので，その実用性および商品性が非常に向上する。
【発明を実施するための最良の形態】
【００１１】
以下，本発明にかかる調理容器の好適な実施形態について，添付図面を参照しながら詳細に説明する。なお，以下の説明および添付図面において，略同一の機能構成を有する構成要素については，同一の符号を付することにより，重複説明を省略している。
【００１２】
図３〜図６に示すように，本実施の形態にかかる調理容器は，上面が開放された通常の調理容器本体１０と，調理容器本体１０の外周面にリベット１２などの締結具により結合されるフランジ部２２が先端に設けられ，後端に所定直径の挿入孔２４が形成され，先端内部にネジ孔２６が形成されたアルミニウム材の固定部材２０と，この固定部材２０の後端の挿入孔２４に先端部３４が挿入され，後端に挿入孔３６が形成され，上面に凹部（ａ）を有する平坦部３８が形成される連結具３０と，この連結具３０の後端の挿入孔３６に先端部４５が挿入され，先端にネジ部４２，後端にネジ頭４３を有する貫通ボルト４１を後端から内部を貫通させて前記固定部材２０のネジ孔２６に締結することが可能な握り部４０とを含んでなることを，その技術構成の基本特徴とする。なお，握り部４０の後端には，フックなどに掛けることが可能なフック穴４６が設けられた後端部４６が，貫通ボルト４１により，固定されている。
【００１３】
前記連結具３０の先端部３４は，握り部４０の先端部４５の形状と略同一であり，前記連結具３０の後端の挿入孔３６は，固定部材２０の後端の挿入孔２４の形状と略同一であるので，別途の専用モールドなしで現存のモールドで固定部材２０と握り部４０を製作することができる。
【００１４】
このような本実施の形態にかかる調理容器の取っ手は，比較的長い貫通ボルト４１を握り部４０の後端から貫通させて固定部材２０のネジ孔２６に締結することにより，握り部４０と連結具３０を堅く結合することができる。
【００１５】
前記連結具３０の結合凹部（ａ）には，内部に延長される延長孔３５が形成され，銅板などの伝熱材料から成る伝熱体３１の一端のヘッド部３１ａ４ｒが結合凹部（ａ）に付着され，他端の脚部３１ｂが前記延長孔３５を通して固定部材２０の内部に延長されて固定部材２０の内部に固定される。伝熱体３１は，調理容器本体１０からの伝熱経路を構成するものであり，伝熱体３１の上面には，一定温度以上で変色して使用者に温度を表示する熱変色フィルムまたは熱変色などから成る温度表示部３２が設けられる。
【００１６】
このように，本実施の形態にかかる調理容器の取っ手は，握り部４０の先端側に位置する連結具３０の上面に，伝熱性に優れた銅板のような伝熱体３１が設けられ，この伝熱体３１は，固定部材２０を介して調理容器本体１０に連結され，前記伝熱体３１の上面に熱変色する温度表示部３２が設けられているので，調理容器本体１０の加熱により伝熱体３１が加熱され，伝熱体３１の上面の温度表示部３２が所定温度以上で変色し，使用者に処理容器本体１０の温度を通知することになる。
【００１７】
本実施形態にかかる調理容器では，通常の握り部４０と固定部材２０の連結構造間に連結具３０を同一結合方式で介設するので，現存の取っ手構造に容易に適用することができ，連結部３０の上面に特定の熱変色層またはラベルなどの温度表示部３２を設けることにより，調理容器本体１０上に熱変色層が露出し，ふきこぼれなどによる汚染を防止し，長期使用後にも外観が損なわれない。
【００１８】
以上，添付図面を参照しながら，本発明の好適な実施形態にかかる調理容器について説明したが，本発明はかかる例に限定されない。当業者であれば，本発明の技術的思想の範疇内において各種の変更例または修正例に想到し得ることは明らかであり，それらについても当然に本発明の技術的範囲に属するものと了解される。
【００１９】
例えば，上記実施形態においては，固定部材２０と連結具３０との連結に関して，固定部材２０をメス部材，連結具３０をオス部材として構成したが，オスメスを反転して連結を行うことが可能であることは言うまでもない。同様に，連結具３０と握り部４０との連結部のオスメスを反転することも可能である。
【００２０】
また，上記実施の形態おいては，連結具３０に，温度表示部３２を設ける構成を示したが，温度表示部３２は，調理容器本体１０からの伝熱が可能な取っ手部に設けられていれば良く，例えば，連結具３０を省略して，固定部材２０，あるいは握る部４０の使用者から見易い位置に直接設けることも可能である。
【００２１】
また，上記実施の形態においては，伝熱体３１により，調理容器本体１０からの伝熱経路を構成したが，本発明はかかる例に限定されない。伝熱経路はさまざな構成が可能であり，固定部材２０，連結具３０，握り部４０の一部またはすべてを伝熱経路として構成することも可能であるし，別途の伝熱経路を設けることも可能である。
【図面の簡単な説明】
【００２２】
【図１】従来の温度検出表示器が付着された調理容器を示す斜視図である。
【図２】図１の調理容器の部分断面図である。
【図３】本発明の一実施形態にかかる調理容器の取っ手が調理容器本体に固着された状態を示す斜視図である。
【図４】本発明の一実施形態にかかる調理容器の取っ手を示す斜視図である。
【図５】図４の調理容器の取っ手の分解斜視図である。
【図６】図４の調理容器の取っ手の断面図である。
【符号の説明】
【００２３】
１０    調理容器本体
２０    固定部材
３０    連結具
３１    伝熱体
３２    熱変色層
４０    握り部
４１    貫通ボルト
【図１】
2005177438.tif 000003
【図２】
2005177438.tif 000004
【図３】
2005177438.tif 000005
【図４】
2005177438.tif 000006
【図５】
2005177438.tif 000007
【図６】
2005177438.tif 000008